(57)【要約】【課題】明度・彩度・色相のカラーアピアランス空間情報が持つ元の色表現をそのまま維持して２次元化した色域表示情報を生成し表示制御する色域表示制御装置、当該色域表示情報を生成する色域表示情報生成装置、及びこれらのプログラムを提供する。【解決手段】本発明の色域表示制御装置１は、明度・彩度・色相により色域を示す表示対象のカラーアピアランス空間情報に対し明度を基準に色域を等間隔にスライスした色域平面について等角度の色相角で分割したピースをそれぞれ抽出し、各ピースの体積を、面積表現した二次元のブロックにそれぞれ変換し、二次元座標に順次配列することにより色域表示情報を生成する色域表示情報生成部１１（本発明の色域表示情報生成装置）と、その色域表示情報を記憶する記憶手部１２と、色域表示情報を用いて当該２次元化して表す色域を所定の色域用表示器２に表示するように制御する表示制御部１３と、を備える。【選択図】図１
2020086149.tif 000002
【特許請求の範囲】
【請求項１】
表示対象の色域を２次元で表示制御する色域表示制御装置であって、
明度・彩度・色相により色域を示す表示対象のカラーアピアランス空間情報に対し明度を基準に色域を等間隔にスライスされた各色域平面を等角度の色相角で分割し、代表的な彩度を持つピースをそれぞれ抽出する色相角分割手段と、
当該各ピースの体積を、面積表現した二次元のブロックにそれぞれ変換するブロック変換手段と、
低明度側或いは高明度側から各スライスされた色域平面における各ブロックをその色相角に応じて二次元座標に順次配列することにより、前記表示対象のカラーアピアランス空間情報が持つ元の色表現をそのまま維持して色域について形状・体積を２次元化して表す色域表示情報を生成する二次元座標配列手段と、
前記色域表示情報を記憶する記憶手段と、
前記色域表示情報を用いて当該２次元化して表す色域を所定の色域用表示器に表示するように制御する表示制御手段と、
を備えることを特徴とする色域表示制御装置。
【請求項２】
前記二次元座標配列手段は、低明度側或いは高明度側から、当該各スライスされた色域平面における各ブロックについて、色相角と彩度を表わす幅をＸ軸に、明度を表わす高さをＹ軸とする２次元座標に、その色相角に応じて順次配列することを特徴とする、請求項１に記載の色域表示制御装置。
【請求項３】
前記表示制御手段は、明度・彩度・色相により色域を示す表示対象のカラーアピアランス空間情報が持つ元の色表現をそのまま維持して色分けし、当該色域表示情報を前記所定の色域用表示器に表示するように制御する手段を有することを特徴とする、請求項１又は２に記載の色域表示制御装置。
【請求項４】
前記表示制御手段は、当該色域表示情報を前記所定の色域用表示器に表示するように制御する際に、当該色域表示情報に基づいて、明度の値を等間隔に示す明度用の等色相線、及び色相と彩度の値を等間隔に示す色相・彩度用の等色相線を付与して前記所定の色域用表示器に表示するように制御する手段を有することを特徴とする、請求項１から３のいずれか一項に記載の色域表示制御装置。
【請求項５】
前記表示制御手段は、代表的な明度、色相及び彩度の数値を付与して前記所定の色域用表示器に表示するように制御する手段を有することを特徴とする、請求項１から４のいずれか一項に記載の色域表示制御装置。
【請求項６】
前記表示制御手段は、前記所定の色域用表示器に表示された当該色域表示情報に係る色域表示面上の指定位置で、対応するブロックの明度・彩度・色相の値を数値表示するように制御する手段を有することを特徴とする、請求項１から５のいずれか一項に記載の色域表示制御装置。
【請求項７】
表示対象の色域を２次元で表示するための色域表示情報を生成する色域表示情報生成装置であって、
明度・彩度・色相により色域を示す表示対象のカラーアピアランス空間情報に対し明度を基準に色域を等間隔にスライスされた各色域平面を等角度の色相角で分割し、代表的な彩度を持つピースをそれぞれ抽出する色相角分割手段と、
当該各ピースの体積を、面積表現した二次元のブロックにそれぞれ変換するブロック変換手段と、
低明度側或いは高明度側から各スライスされた色域平面における各ブロックをその色相角に応じて二次元座標に順次配列することにより、前記表示対象のカラーアピアランス空間情報が持つ元の色表現をそのまま維持して色域について形状・体積を２次元化して表す色域表示情報を生成する二次元座標配列手段と、
を備えることを特徴とする色域表示情報生成装置。
【請求項８】
前記二次元座標配列手段は、低明度側或いは高明度側から、当該各スライスされた色域平面における各ブロックについて、色相角と彩度を表わす幅をＸ軸に、明度を表わす高さをＹ軸とする２次元座標に、その色相角に応じて順次配列することを特徴とする、請求項７に記載の色域表示情報生成装置。
【請求項９】
コンピューターを、請求項１から６のいずれか一項に記載の色域表示制御装置として機能させるためのプログラム。
【請求項１０】
コンピューターを、請求項７又は８に記載の色域表示情報生成装置として機能させるためのプログラム。
【発明の詳細な説明】
【技術分野】
【０００１】
本発明は、撮像装置の撮像域やディスプレイやモニター等の表示域に係る色域の形状及び大きさ（体積）を示すように表示制御する色域表示制御装置、当該色域の色域表示情報を生成する色域表示情報生成装置、及びこれらのプログラムに関する。
【背景技術】
【０００２】
近年、色域が広く、ダイナミックレンジの高い超高精細度テレビジョン（ＵＨＤＴＶ：Ultra-High Definition Television）の開発及び規格化が進められている。ＵＨＤＴＶは、従来の映像よりもよりリアルな表現を可能である。
【０００３】
ＵＨＤＴＶの広色域表色系についてはＩＴＵ−Ｒ勧告ＢＴ.２０２０（以下、「Ｒｅｃ.２０２０」と略す）に単波長光を想定したＲＧＢの三原色の色度座標が規定されている。特に、Ｒｅｃ.２０２０では、従来のＨＤＴＶ用のＩＴＵ−Ｒ勧告ＢＴ.７０９（以下、「Ｒｅｃ.７０９」と略す）だけでなく、ほとんどの物体色の色空間を包含するように設計されたものとすることができる（例えば、非特許文献１参照）。尚、ＨＤＲ（１０００ｃｄ／ｍ２）に関してはＲｅｃ.２１００に規定され、ＳＤＲ（１００ｃｄ／ｍ２）に関してはＲｅｃ.１８８６に規定されている。
【０００４】
より具体的に、Ｒｅｃ.２０２０では、高ダイナミックレンジ方式として黒輝度を０．０１ｃｄ／ｍ２程度以下に抑える一方でピーク輝度が１，０００ｃｄ／ｍ２を超えるような、１０万：１以上のダイナミックレンジを持つモニターを用いて映像を再現するための伝達関数方式が規定されている。一方、従来の標準ダイナミックレンジ（ＳＤＲ：Standard Dynamic Range）方式としては、ピーク輝度１００ｃｄ／ｍ２に設定されたモニターを用いて制作し、実シーンの高輝度部を圧縮して表現するものとなっている。
【０００５】
そこで、４Ｋ又は８Ｋの放送開始に伴い、ＵＨＤＴＶを実現するディスプレイの高ダイナミックレンジ化・広色域化の技術開発が進み、その色域のサイズの大きさを競っている。色域のサイズは図１０（ａ）に示すようにｘｙ色度図か、或いは図１０（ｂ）に示すようにｕ’ｖ’色度図上での面積の大きさで表されることが一般的だが、上述したように高ダイナミックレンジ方式の色域の大きさを差別化・明確化するために、明るさの次元も含めた、３次元空間の形状及び体積で表すことも増えてきている。３次元の色域は、通常、明度・彩度・色相のシリンドリカルな均等色空間におけるソリッドで表される。例えばＣＩＥＬＡＢ色空間を用いると明度Ｌ＊、彩度Ｃ＊、色相（色相角）ｈで表される。
【０００６】
ただし、従来技法における色域表示では、３次元で色域サイズの大きさ（即ち色域の形状及び体積）を表示するとしても、実際には２次元の紙やディスプレイで表現するため、その色域の形状を明度について等間隔でスライス（輪切り）にした断面をプロット表示することや、図１１に示すＲｅｃ. ２０２０の色域のような３次元でプロット表示した色域について視点を変えながら視認可能とすることで形状を把握するものとなっている。
【０００７】
しかしながら、３次元のプロット表示で視点を変えながら視認可能とする技法では、その視点変更の処理負担がかかりオクルージョン（３次元プロットだとどうしても隠れてしまうところがある）も生じることや、定量的に把握しづらいものとなっている。
【０００８】
この問題を解決する一技法として、明度・彩度・色相により色域を示す表示対象のカラーアピアランス空間情報に対し明度を基準に色域を等間隔にスライスして得られる彩度及び色相を示す平面について、所定輝度毎の当該平面の色相角に応じた彩度の形状を示す彩度識別線を保持して合成することにより当該色域について形状・体積を２次元化して表す技法が開示されている（例えば、非特許文献２参照）。
【先行技術文献】
【非特許文献】
【０００９】
【非特許文献１】K. Masaoka, Y. Nishida, M. Sugawara, and E. Nakasu, “Design of primaries for a wide-gamut television colorimetry,” IEEE Trans. Broadcast., Vol. 56, pp. 452−457, 2010.
【非特許文献２】Kenichiro Masaoka, Fu Jiang, Mark D. Fairchild, and Rodney L. Heckaman，“2D Representation of Display Color Gamut”,［online］, SOCIETY FOR INFORMATION DISPLAY INTERNATIONAL SYMPOSIUM DIGEST OF TECHNICAL PAPAERS, Book 2: Session 78: Color Gamut, 30 May 2018., [平成30年10月20日検索] ,インターネット〈https://onlinelibrary.wiley.com/doi/abs/10.1002/sdtp.12187〉
【発明の概要】
【発明が解決しようとする課題】
【００１０】
上述したように、３次元の色域は、通常、明度・彩度・色相のシリンドリカルな均等色空間におけるソリッドで表され、従来技法における色域表示では、３次元で色域サイズの大きさ（即ち色域の形状及び体積）を表示するとしても、実際には２次元の紙やディスプレイで表現するため、その色域の形状を明度について等間隔でスライス（輪切り）にした断面をプロット表示することや、図１１に示すような３次元でプロット表示した色域について視点を変えながら視認可能とすることで形状を把握するものとなっている。
【００１１】
しかしながら、明度・彩度・色相のシリンドリカルな均等色空間における３次元の色域を示すソリッドは、通常、黒とピーク輝度で点に収束する歪な形状をしている。このため、従来技法におけるソリッドのプロット表示による断面プロットでは、色域の形状がいびつであるほど、多数の断面プロットが必要になり、その形状や大きさ（体積）を把握することが難しい。また、３次元のプロット表示で視点を変えながら視認可能とする技法では、その視点変更の処理負担がかかりオクルージョン（３次元プロットだとどうしても隠れてしまうところがある）も生じることや、定量的に把握しづらいものとなっている。
【００１２】
一方、非特許文献２の技法では、当該色域について形状・体積を２次元化して表すものとなっているため、この色域の二次元変換は色相角が保存され、ローカルな面積値が体積値に一致し、２次元表現でありながら定量的に把握できるようになる。
【００１３】
しかし、非特許文献２の技法では、放射方向に彩度が増加するような表現になっていないため、明度・彩度・色相により色域を示す表示対象のカラーアピアランス空間情報が持つ元の色表現をそのまま維持して、当該形状・体積を２次元化して表した色域表現上で表すことができず、グレー表現となっている。
【００１４】
そこで、本発明の目的は、上述の問題に鑑みて、明度・彩度・色相のカラーアピアランス空間情報が持つ元の色表現をそのまま維持して、色域の形状及び大きさ（体積）を、より定量的に分かりやすく２次元化した色域表示情報を生成し表示制御する色域表示制御装置、当該２次元化した色域表示情報を生成する色域表示情報生成装置、及びこれらのプログラムを提供することにある。
【課題を解決するための手段】
【００１５】
本発明の色域表示制御装置は、表示対象の色域を２次元で表示制御する色域表示制御装置であって、明度・彩度・色相により色域を示す表示対象のカラーアピアランス空間情報に対し明度を基準に色域を等間隔にスライスされた各色域平面を等角度の色相角で分割し、代表的な彩度を持つピースをそれぞれ抽出する色相角分割手段と、当該各ピースの体積を、面積表現した二次元のブロックにそれぞれ変換するブロック変換手段と、低明度側或いは高明度側から各スライスされた色域平面における各ブロックをその色相角に応じて二次元座標に順次配列することにより、前記表示対象のカラーアピアランス空間情報が持つ元の色表現をそのまま維持して色域について形状・体積を２次元化して表す色域表示情報を生成する二次元座標配列手段と、前記色域表示情報を記憶する記憶手段と、前記色域表示情報を用いて当該２次元化して表す色域を所定の色域用表示器に表示するように制御する表示制御手段と、を備えることを特徴とする。
【００１６】
また、本発明の色域表示制御装置において、前記二次元座標配列手段は、低明度側或いは高明度側から、当該各スライスされた色域平面における各ブロックについて、色相角と彩度を表わす幅をＸ軸に、明度を表わす高さをＹ軸とする２次元座標に、その色相角に応じて順次配列することを特徴とする。
【００１７】
また、本発明の色域表示制御装置において、前記表示制御手段は、明度・彩度・色相により色域を示す表示対象のカラーアピアランス空間情報が持つ元の色表現をそのまま維持して色分けし、当該色域表示情報を前記所定の色域用表示器に表示するように制御する手段を有することを特徴とする。
【００１８】
また、本発明の色域表示制御装置において、前記表示制御手段は、当該色域表示情報を前記所定の色域用表示器に表示するように制御する際に、当該色域表示情報に基づいて、明度の値を等間隔に示す明度用の等色相線、及び色相と彩度の値を等間隔に示す色相・彩度用の等色相線を付与して前記所定の色域用表示器に表示するように制御する手段を有することを特徴とする。
【００１９】
また、本発明の色域表示制御装置において、前記表示制御手段は、代表的な明度、色相及び彩度の数値を付与して前記所定の色域用表示器に表示するように制御する手段を有することを特徴とする。
【００２０】
また、本発明の色域表示制御装置において、前記表示制御手段は、前記所定の色域用表示器に表示された当該色域表示情報に係る色域表示面上の指定位置で、対応するブロックの明度・彩度・色相の値を数値表示するように制御する手段を有することを特徴とする。
【００２１】
更に、本発明の色域表示情報生成装置は、表示対象の色域を２次元で表示するための色域表示情報を生成する色域表示情報生成装置であって、明度・彩度・色相により色域を示す表示対象のカラーアピアランス空間情報に対し明度を基準に色域を等間隔にスライスされた各色域平面を等角度の色相角で分割し、代表的な彩度を持つピースをそれぞれ抽出する色相角分割手段と、当該各ピースの体積を、面積表現した二次元のブロックにそれぞれ変換するブロック変換手段と、低明度側或いは高明度側から各スライスされた色域平面における各ブロックをその色相角に応じて二次元座標に順次配列することにより、前記表示対象のカラーアピアランス空間情報が持つ元の色表現をそのまま維持して色域について形状・体積を２次元化して表す色域表示情報を生成する二次元座標配列手段と、を備えることを特徴とする。
【００２２】
また、本発明の色域表示情報生成装置において、前記二次元座標配列手段は、低明度側或いは高明度側から、当該各スライスされた色域平面における各ブロックについて、色相角と彩度を表わす幅をＸ軸に、明度を表わす高さをＹ軸とする２次元座標に、その色相角に応じて順次配列することを特徴とする。
【００２３】
更に、本発明のプログラムは、コンピューターを、本発明の色域表示制御装置として機能させるためのプログラムとして構成する。
【００２４】
更に、本発明のプログラムは、コンピューターを、本発明の色域表示情報生成装置として機能させるためのプログラムとして構成する。
【発明の効果】
【００２５】
本発明によれば、２次元表現でも、明度・彩度・色相により色域を示す表示対象のカラーアピアランス空間情報が持つ元の色表現をそのまま維持可能とし、且つ色域の形状及び大きさ（体積）の表示が、より定量的に分かりやすくなる。
【図面の簡単な説明】
【００２６】
【図１】本発明による一実施形態の色域表示制御装置の概略構成を示すブロック図である。
【図２】本発明による一実施形態の色域表示制御装置における色域表示情報生成部の処理を示すフローチャートである。
【図３】本発明による一実施形態の色域表示制御装置の表示対象として、明度・彩度・色相の３次元の色域を示すカラーアピアランス空間情報の一例を示す図である。
【図４】本発明による一実施形態の色域表示制御装置における明度を基準に色域を等間隔にスライスして得られるａ＊ｂ＊平面の概略図である。
【図５】本発明による一実施形態の色域表示制御装置におけるスライスされた各ａ＊ｂ＊平面を等角度の色相角で分割した例を示す図である。
【図６】（ａ）は本発明による一実施形態の色域表示制御装置におけるスライスされた各ａ＊ｂ＊平面について概略的に示し、その色相角分割した面積を例示する図であり、（ｂ）はその色相角分割した面積の算出例を説明するための図である。
【図７】（ａ）乃至（ｃ）は、本発明による一実施形態の色域表示制御装置における色相角分割部及びブロック変換部の処理の一例を説明するための図である。
【図８】本発明による一実施形態の色域表示制御装置におけるに二次元座標配列部の処置の一例を示す図である。
【図９】（ａ）は本発明による一実施形態の色域表示制御装置によって生成したＲｅｃ.２０２０の色域表示情報を色域用表示器に表示する際の表示形態例を示す図であり、（ｂ）は本発明による一実施形態の色域表示制御装置によって生成したＲｅｃ.７０９の色域表示情報を色域用表示器に表示する際の表示形態例を示す図である。
【図１０】（ａ），（ｂ）は、それぞれ従来技法に基づくｘｙ色度図とｕ’ｖ’色度図を例示する図である。
【図１１】従来技法に基づく明度・彩度・色相の３次元の色域を示すカラーアピアランス空間情報の一例を示す図である。
【発明を実施するための形態】
【００２７】
以下、図面を参照して、本発明による一実施形態の色域表示制御装置１を詳細に説明する。
【００２８】
（装置構成）
図１は、本発明による一実施形態の色域表示制御装置１の概略構成を示すブロック図である。図１を参照するに、本実施形態の色域表示制御装置１は、表示対象のカラーアピアランス空間情報における色域について形状・体積を２次元化した色域表示情報を用いて色域用表示器２に表示制御する装置として構成され、色域表示情報生成部１１、記憶部１２、及び表示制御部１３を備える。
【００２９】
ここで、表示対象のカラーアピアランス空間情報は、明度・彩度・色相により撮像装置の撮像域やディスプレイやモニター等の表示域に係る色域を示す多数のサンプリングデータで表され、本例ではＣＩＥＬＡＢ色空間を用いて明度Ｌ＊、彩度Ｃ＊、色相（色相角）ｈで表されるものとする。このようなカラーアピアランス空間情報は、随意計測することができ、或いは公開情報から入手できる。
【００３０】
色域用表示器２は、表示対象のカラーアピアランス空間情報における色域を表示可能とする機器であり、デジタルデータの色域を表示するコンピューターのディスプレイ又は撮像装置やプリンター等のモニター、或いは紙媒体に出力するプリンター等とすることができる。
【００３１】
特に、本実施形態の色域表示制御装置１から色域用表示器２に対して出力される色域表示情報は、表示対象のカラーアピアランス空間情報における色域について形状・体積を２次元化して表され、その詳細は以下の説明によって明らかになる。
【００３２】
色域表示情報生成部１１は、表示対象のカラーアピアランス空間情報を入力し、その色域について形状・体積を２次元化する変換を行い、本発明に係る色域表示情報を生成し、記憶部１２に記憶するか、或いは表示制御部１３に出力する機能部である。
【００３３】
表示制御部１３は、色域表示情報生成部１１から得られる当該色域表示情報を入力するか、或いは記憶部１２に記憶されている当該色域表示情報を読み出し、表示対象のカラーアピアランス空間情報について当該２次元化して表す色域を色域用表示器２に表示するように制御する機能部である。
【００３４】
尚、変形例として、色域表示情報生成部１１の機能を色域表示制御装置１の外部装置（色域表示情報生成装置）として構成することもでき、この場合の色域表示制御装置１は、色域表示情報生成部１１を設けなくともよく、例えば記憶部１２に記憶されている当該色域表示情報を読み出し、色域用表示器２に表示するように制御する装置として構成することもできる。
【００３５】
本実施形態の色域表示制御装置１における色域表示情報生成部１１は、色域スライス部１１１、色相角分割部１１２、ブロック変換部１１３、及び二次元座標配列部１１４を備えている。
【００３６】
色域スライス部１１１は、表示対象のカラーアピアランス空間情報を入力し、明度Ｌ＊を法線としたａ＊ｂ＊平面（色域平面）へと明度Ｌ＊を基準に色域を等間隔にスライスし、色相角分割部１１２に出力する。ただし、当該表示対象のカラーアピアランス空間情報が、既に明度Ｌ＊を基準に色域を等間隔にスライスしたａ＊ｂ＊平面のサンプリングリングデータを有するものであるときは、この色域スライス部１１１の機能を省略できる。
【００３７】
色相角分割部１１２は、各スライスされたａ＊ｂ＊平面を等角度の色相角で分割し、各スライスしたａ＊ｂ＊平面における色相角基準で分割した代表的な彩度Ｃ＊を持つピースＰＳｎ（Ｌ＊,ｈ,Ｃ＊）をそれぞれ抽出して、ブロック変換部１１３に出力する。
【００３８】
ブロック変換部１１３は、代表的な彩度Ｃ＊を持つ各ピースＰＳｎ（Ｌ＊,ｈ,Ｃ＊）を高さ１Ｌ＊の三角柱とみなして、各ピースの体積を、面積表現した二次元のブロックＢＫｎ（Ｌ＊,ｈ,Ｃ＊）にそれぞれ変換し、二次元座標配列部１１４に出力する。
【００３９】
二次元座標配列部１１４は、低明度側（或いは高明度側）から各スライスされたａ＊ｂ＊平面におけるピース分割した色相角ｈの代表的な彩度Ｃ＊を持つ各ブロックＢＫｎ（Ｌ＊,ｈ,Ｃ＊）を、その色相角に応じて二次元座標（Ｘ軸（ｈ,Ｃ＊軸）と、明度Ｌ＊を表わすＹ軸（Ｌ＊軸）からなる）に順次配列することにより、明度・彩度・色相により色域を示す表示対象のカラーアピアランス空間情報が持つ元の色表現をそのまま維持して、当該表示対象のカラーアピアランス空間情報における色域について形状・体積を２次元化して表す、本発明に係る色域表示情報を生成し、記憶部１２に記憶するか、或いは表示制御部１３に出力する。
【００４０】
（色域表示情報生成処理）
以下、図２を基に、図３乃至図８を参照しながら、色域表示情報生成部１１における色域表示情報生成処理について説明する。
【００４１】
図２を参照するに、まず、色域表示情報生成部１１は、色域スライス部１１１により、表示対象のカラーアピアランス空間情報を入力し（ステップＳ１）、明度Ｌ＊を法線としたａ＊ｂ＊平面へと明度Ｌ＊を基準に色域を等間隔にスライスする（ステップＳ２）。
【００４２】
例えば、公開情報から入手可能な図１１に示すＲｅｃ. ２０２０の色域を示すカラーアピアランス空間情報を表示対象とすると、明度Ｌ＊は０〜１００まで１ＪＮＤ（just noticeable difference；丁度可知差異）の間隔で正規化されており、色域の形状が３次元のソリッドで表されたＬ＊ａ＊ｂ＊色空間における多数のサンプリングデータが得られる。そこで、図３に示すように、色域スライス部１１１は、このカラーアピアランス空間情報を入力し、明度Ｌ＊を基準に１ＪＮＤの間隔（例えば、Ｌ＊が０．５〜９９．５までを１間隔、即ちＬ＊＝０．５，１．５，…，９９．５の高さ１Ｌ＊間隔とする）でスライスし、図４に概略例示するように無彩色点ｐｏ（明度Ｌ＊の軸上の点）を基準に１００個のスライスされたａ＊ｂ＊平面ＳＬ_♯１〜ＳＬ_♯１００を抽出して色相角分割部１１２に出力する。明度Ｌ＊を基準にスライスされた個々のａ＊ｂ＊平面は、色相角ｈに応じた彩度Ｃ＊の形状が示される。
【００４３】
続いて、図２を参照するに、色域表示情報生成部１１は、色相角分割部１１２により、各スライスしたａ＊ｂ＊平面を等角度の色相角で分割する色相角分割処理を行う（ステップＳ３）。
【００４４】
例えば、色相角分割部１１２は、図４に概略例示するａ＊ｂ＊平面ＳＬ_♯１〜ＳＬ_♯１００を入力すると、それぞれのスライスされた各ａ＊ｂ＊平面を図５に示すように、等角度の色相角ｈの値で分割する。図５では、代表してａ＊ｂ＊平面ＳＬ_♯１，ＳＬ_♯２のそれぞれについて３０°（π／６）毎に分割するように簡略図示しているが、本実施形態に係る一実施例では色相角ｈの値０°から３５９°までの１°間隔で分割する。
【００４５】
そして、図２を参照するに、更に、色相角分割部１１２は、各スライスしたａ＊ｂ＊平面における色相角基準で分割した代表的な彩度Ｃ＊を持つピースＰＳｎ（Ｌ＊,ｈ,Ｃ＊）をそれぞれ抽出する（ステップＳ４）。つまり、処理対象のカラーアピアランス空間情報が全体でＮ個のピースとなり、低明度側（或いは高明度側）から、更にｈ＝０°から３５９°まで（或いはｈ＝３５９°から０°までの向きとしてもよい。）を１°ずつ（基準値ｈ＝０．５°，１．５°，２．５°，…）抽出したピースが得られ、各ピースがｎ番目（１≦ｎ≦Ｎ）のピースＰＳｎ（Ｌ＊,ｈ,Ｃ＊）として表される。
【００４６】
続いて、色域表示情報生成部１１は、ブロック変換部１１３により、代表的な彩度Ｃ＊を持つ各ピースＰＳｎ（Ｌ＊,ｈ,Ｃ＊）を高さ１Ｌ＊の三角柱とみなして、各ピースの体積を、面積表現した二次元のブロックＢＫｎ（Ｌ＊,ｈ,Ｃ＊）にそれぞれ変換する（ステップＳ５）。
【００４７】
例えば、図６（ａ）には、図５に代表して概略例示するａ＊ｂ＊平面ＳＬ_♯１，ＳＬ_♯２のそれぞれについて概略的に示し、その分割した色相角２４０．５°，２４１．５°をそれぞれ基準とした分割面積（ＳＬ_♯１ではそれぞれＡｎ，Ａｎ＋１，ＳＬ_♯２ではそれぞれＡｎ’，Ａｎ＋１’）についてそれぞれ算出する例を示している（尚、図示する角度は説明の便宜のために正確では無い点に留意する）。
【００４８】
そして、図６（ｂ）には、スライスされたａ＊ｂ＊平面ＳＬ_♯１におけるそれぞれの分割面積Ａｎ，Ａｎ＋１の算出例を示しており、サンプリングデータとしてＤｎ，Ｄｎ＋１，Ｄｎ＋２が当該入力したカラーアピアランス空間情報から得られるものとして例示している。図６（ｂ）を参照するに、分割した色相角２４０．５°を基準とした２４０°から２４１°までの範囲の分割面積Ａｎを算出するにあたり、サンプリングデータＤｎが色相角２４０．５°上に位置し、色相角２４０°から２４１°までの範囲に他のサンプリングデータが無い例を示している。この場合には、サンプリングデータＤｎが示す彩度Ｃ＊を、色相角２４０°と２４１°の位置で補間して得られるサンプリング点で形成される二等辺三角形の底辺に対する垂線とみなし、近似して算出することができる。一方、分割した色相角２４１．５°を基準とした２４１°から２４２°までの範囲の分割面積Ａｎ＋１を算出するにあたり、サンプリングデータが色相角２４１．５°上に位置していないときは隣接するサンプリングデータＤｎ，Ｄｎ＋１から補間してサンプリングデータＩＤｎ＋１を求め、そして、色相角２４０°から２４１°までの範囲に他のサンプリングデータ（本例ではＤｎ＋１）がある場合で多角形となる場合には多角形の三角形分割を行って分割面積Ａｎの算出と同様に分割面積を個別に求めて加算することで、当該分割面積Ａｎ＋１を算出することができる。
【００４９】
このような分割面積は、定性的に明度Ｌ＊と位相角ｈの関数Ａ（Ｌ＊, ｈ）で表すことができ、その分割面積Ａ（Ｌ＊, ｈ）に対応する代表的な彩度Ｃ＊も関数Ｃ＊（Ｌ＊, ｈ）で表すことができる。
【００５０】
そして、彩度Ｃ＊（Ｌ＊, ｈ）は、分割面積Ａ（Ｌ＊, ｈ）を用いて上述した二等辺三角形の近似に基づいて、次式の関係で定めることができる。
【００５１】
Ｃ＊（Ｌ＊, ｈ）≒（３６０Ａ（Ｌ＊, ｈ）／π）０．５
【００５２】
尚、本例では、図７（ａ）に示す各ピースＰＳｎ（Ｌ＊,ｈ,Ｃ＊）を、図７（ｂ）に示すように高さ１Ｌ＊の三角柱とみなす（ｈの彩度とｈ＋１の彩度を直線で結ぶ）ものとしており、各ピースＰＳｎ（Ｌ＊,ｈ,Ｃ＊）の体積Ｖ（Ｌ＊，ｈ）（＝底面或いは上面の面積と等価）は次式で表される。
【００５３】
Ｖ（Ｌ＊，ｈ）＝Ｃ＊（Ｌ＊，ｈ）・Ｃ＊（Ｌ＊，ｈ＋１）sin（１°）／２
【００５４】
そして、図７（ｃ）に示すように、１個のピースＰＳｎ（Ｌ＊,ｈ,Ｃ＊）の体積は、高さ１Ｌ＊の面積Ａｎに相当する幅ｗｎで表される長方形の二次元のブロックＢＫｎ（Ｌ＊,ｈ,Ｃ＊）に変換して、面積表現することができる。
【００５５】
続いて、色域表示情報生成部１１は、二次元座標配列部１１４により、低明度側（或いは高明度側）から各スライスされたａ＊ｂ＊平面におけるピース分割した色相角ｈの代表的な彩度Ｃ＊を持つ各ブロックＢＫｎ（Ｌ＊,ｈ,Ｃ＊）を、その色相角に応じて二次元座標（Ｘ軸（ｈ,Ｃ＊軸）と、明度Ｌ＊を表わすＹ軸（Ｌ＊軸）からなる）に順次配列する（ステップＳ６）。
【００５６】
例えば、図８には、二次元座標配列部１１４によるＸ−Ｙ軸からなる二次元座標への順次配列する様子を示している。例えば、最初にａ＊ｂ＊平面ＳＬ_♯１における明度Ｌ＊＝０．５、色相０．５°に対応するＢＫ１（Ｌ＊,ｈ,Ｃ＊）について、その高さ１Ｌ＊をＹ軸方向とし、Ｘ軸の正方向に面積Ａ１に相当する幅ｗ１を有するＢＫ１（Ｌ＊,ｈ,Ｃ＊）が位置するように原点Ｏ（無彩色点ｐｏ）から配置して表す。
【００５７】
次に、最初にａ＊ｂ＊平面ＳＬ_♯１における明度Ｌ＊＝０．５、色相１．５°に対応するＢＫ２（Ｌ＊,ｈ,Ｃ＊）について、その高さ１Ｌ＊をＹ軸方向で維持したまま、上記のＢＫ１（Ｌ＊,ｈ,Ｃ＊）の右側に、Ｘ軸の正方向に面積Ａ２に相当する幅ｗ２を有するＢＫ２（Ｌ＊,ｈ,Ｃ＊）が位置するように隣接配置して表す。
【００５８】
これを、ａ＊ｂ＊平面ＳＬ_♯１における明度Ｌ＊＝０．５について、色相１７９．５°までのＢＫｎ（Ｌ＊,ｈ,Ｃ＊）をＸ軸の正方向に繰り返し隣接配置して表す。
【００５９】
次に、ａ＊ｂ＊平面ＳＬ_♯１における明度Ｌ＊＝０．５について、上記と同様に、色相−０．５°（図５及び図６では３５９．５°）から−１７９．５°（図５及び図６では１８０．５°）までのＢＫｎ（Ｌ＊,ｈ,Ｃ＊）を原点Ｏ（無彩色点ｐｏ）からＸ軸の負方向に繰り返し隣接配置して表す。
【００６０】
上記のａ＊ｂ＊平面ＳＬ_♯１における各ブロックＢＫｎ（Ｌ＊,ｈ,Ｃ＊）の配置と同様に、明度Ｌ＊＝１．５，２．５，…，９９．５に対応するａ＊ｂ＊平面ＳＬ_♯２〜♯１００について、ａ＊ｂ＊平面ＳＬ_♯１における各ブロックＢＫｎ（Ｌ＊,ｈ,Ｃ＊）の配置に積み上げるようにして表す。
【００６１】
これにより、色域表示情報生成部１１は、図９に例示したように、明度・彩度・色相により色域を示す表示対象のカラーアピアランス空間情報が持つ元の色表現をそのまま維持して、当該表示対象のカラーアピアランス空間情報における色域について形状・体積を２次元化して表す、本発明に係る色域表示情報を生成することができる。
【００６２】
このようにして色域表示制御装置１における色域表示情報生成部１１によって生成した色域表示情報における各ブロックＢＫｎ（Ｌ＊,ｈ,Ｃ＊）は、明度・彩度・色相により色域を示す表示対象のカラーアピアランス空間情報が持つ元の色表現をそのまま維持した明度・彩度・色相の値を持つものとなる。
【００６３】
このため、色域表示制御装置１における表示制御部１３は、明度・彩度・色相により色域を示す表示対象のカラーアピアランス空間情報が持つ元の色表現をそのまま維持して色分けし、当該色域表示情報を色域用表示器２に表示するように制御する。
【００６４】
また、表示制御部１３は、当該色域表示情報を色域用表示器２に表示するように制御する際に、当該色域表示情報に基づいて、明度Ｌ＊の値を等間隔に示すＬ＊等色相線、及び色相ｈと彩度Ｃ＊・色相ｈの値を等間隔に示す（ｈ，Ｃ＊）等色相線を付与して色域用表示器２に表示するように制御する構成とすることもできる。
【００６５】
また、表示制御部１３は、Ｘ軸及びＹ軸を表示する代わりに、或いはＸ軸及びＹ軸の表示に加えて、代表的な、明度Ｌ＊、色相ｈ及び彩度Ｃ＊の数値を付与して色域用表示器２に表示するように制御する構成とすることもできる。
【００６６】
また、表示制御部１３は、色域用表示器２に表示された当該色域表示情報に係る色域表示面上を色域用表示器２におけるポインタ（マウス等）で指定すると、対応するブロックＢＫｎ（Ｌ＊,ｈ,Ｃ＊）の明度・彩度・色相の値を視認できるように数値表示するように制御する構成とすることもできる。
【００６７】
（一実施例の表示形態）
図９（ａ）は本発明による一実施形態の色域表示制御装置１によって生成したＲｅｃ.２０２０の色域表示情報を色域用表示器２に表示する際の表示形態例を示す図であり、（ｂ）は本発明による一実施形態の色域表示制御装置１によって生成したＲｅｃ.７０９の色域表示情報を色域用表示器２に表示する際の表示形態例を示す図である。
【００６８】
図９（ａ），（ｂ）に示す各表示形態例では、色域表示制御装置１における色域表示情報生成部１１によって生成した色域表示情報が、明度・彩度・色相により色域を示す表示対象のカラーアピアランス空間情報が持つ元の色表現をそのまま維持して色分けし、当該色域表示情報を色域用表示器２に表示される。
【００６９】
また、図９（ａ），（ｂ）に示す各表示形態例では、明度Ｌ＊の値を等間隔に示すＬ＊等色相線、及び色相ｈと彩度Ｃ＊・色相ｈの値を等間隔に示す（ｈ，Ｃ＊）等色相線を付与して色域用表示器２に表示される。
【００７０】
そして、図９（ａ），（ｂ）に示す各表示形態例では、Ｒｅｃ.２０２０及びＲｅｃ.７０９のそれぞれの色域の形状及び大きさ（体積）の表示が、より定量的に分かりやすくなっている。
【００７１】
更に、図９（ａ），（ｂ）の比較から、Ｒｅｃ.２０２０の色域におけるどの明度のどの色相の色域がＲｅｃ.７０９の色域より大きいのか一目して理解できる。
【００７２】
尚、Ｘ‐Ｙ軸の２次元座標への各ブロックＢＫｎ（Ｌ＊,ｈ,Ｃ＊）の配置の順序や、数値等のやり方は、上記の図８に係る説明に限定することなく、低明度側（或いは高明度側）から各スライスされたａ＊ｂ＊平面における各ブロックＢＫｎ（Ｌ＊,ｈ,Ｃ＊）を、色相角に応じて順次並べて配列するＸ軸と、明度Ｌ＊を表わすＹ軸からなる二次元座標に順次配列するものであればよい。
【００７３】
また、図８及び図９に示す例では、色相角ｈが０°のときをＸ軸上の原点０とした例を示したが、他の色相角ｈのときをＸ軸上の原点０としてもよい。また、例えば、ｈ＝０．５〜３５９．５°をＸ軸の正方向に順次並べる表示形態でも良い。
【００７４】
また、色域表示制御装置１は、Ｌ＊，ｈを上述した例よりも更に細かく分けて、各ブロックＢＫｎ（Ｌ＊,ｈ,Ｃ＊）を形成しても良い。また、色域表示制御装置１は、ＨＤＲのように明度Ｌ＊が１００を超える場合でも同様に、各ブロックＢＫｎ（Ｌ＊,ｈ,Ｃ＊）に基づいた当該色域表示情報を生成し、表示するよう制御する形態とすることができる。
【００７５】
また、上述した例ではＣＩＥＬＡＢ色空間を用いて明度Ｌ＊、彩度Ｃ＊、色相（色相角）ｈで表されるものとして例を説明したが、ＣＩＥＬＡＢ色空間以外の明度Ｌ＊、彩度Ｃ＊、色相（色相角）ｈで表される他のシリンドリカル色空間を表示対象とすることができる。
【００７６】
上述した一実施形態における色域表示制御装置１は、コンピューターにより構成することができ、色域表示制御装置１の各処理部を機能させるためのプログラムを好適に用いることができる。具体的には、色域表示制御装置１の各処理部を制御するための制御部をコンピューター内の中央演算処理装置（ＣＰＵ）で構成でき、且つ、各処理部を動作させるのに必要となるプログラムを適宜記憶する記憶部を少なくとも１つのメモリで構成させることができる。即ち、そのようなコンピューターに、ＣＰＵによって該プログラムを実行させることにより、色域表示制御装置１の各処理部の有する機能を実現させることができる。更に、色域表示制御装置１の各処理部の有する機能を実現させるためのプログラムを、前述の記憶部（メモリ）の所定の領域に格納させることができる。そのような記憶部は、装置内部のＲＡＭ又はＲＯＭなどで構成させることができ、或いは又、外部記憶装置（例えば、ハードディスク）で構成させることもできる。また、そのようなプログラムは、コンピューターで利用されるＯＳ上のソフトウェア（ＲＯＭ又は外部記憶装置に格納される）の一部で構成させることができる。更に、そのようなコンピューターに、色域表示制御装置１の各処理部として機能させるためのプログラムは、コンピューター読取り可能な記録媒体に記録することができる。また、色域表示制御装置１の各処理部をハードウェア又はソフトウェアの一部として構成させ、各々を組み合わせて実現させることもできる。
【００７７】
以上、特定の実施形態の例を挙げて本発明を説明したが、本発明は前述の実施形態の例に限定されるものではなく、その技術思想を逸脱しない範囲で種々変形可能である。例えば、上述した実施形態の例では、主として、Ｒｅｃ.２０２０やＲｅｃ.７０９で規定される色域を変換して本発明に係る色域表示情報を生成する例を説明したが、例えば撮像装置の撮像域やディスプレイやモニター等の表示域の性能評価のために、本発明に係る色域表示情報を生成する用途に利用できる。従って、本発明に係る色域表示制御装置１は、上述した実施形態の例に限定されるものではなく、特許請求の範囲の記載によってのみ制限される。
【産業上の利用可能性】
【００７８】
本発明によれば、色域の形状及び大きさ（体積）の表示が、より定量的に分かりやすくなるので、デジタルデータの色域を表示するコンピューターのディスプレイ又は撮像装置やプリンター等のモニター等の色域用表示器、或いはプリンター出力となる紙媒体に対し本発明に係る色域表示情報を出力する機器や処理部の用途に有用である。
【符号の説明】
【００７９】
１  色域表示制御装置
２  色域用表示器
１１  色域表示情報生成部
１２  記憶部
１３  表示制御部
１１１  色域スライス部
１１２  色相角分割部
１１３  ブロック変換部
１１４  二次元座標配列部
【図１】
2020086149.tif 000003
【図２】
2020086149.tif 000004
【図３】
2020086149.tif 000005
【図４】
2020086149.tif 000006
【図５】
2020086149.tif 000007
【図６】
2020086149.tif 000008
【図７】
2020086149.tif 000009
【図８】
2020086149.tif 000010
【図９】
2020086149.tif 000011
【図１０】
2020086149.tif 000012
【図１１】
2020086149.tif 000013